(57)【要約】【課題】遊技者や従業員の身体に負担をかけることなく、容易かつ迅速に球受皿の遊技球を床面に置かれた遊技球貯留箱へ移すことができる玉誘導装置を提供する。【解決手段】遊技機本体１１から払い出される遊技玉３４を一時収納する玉受皿１２から外部へ前記遊技玉３４を誘導する玉誘導装置１０であって、前記玉受皿１２の玉排出口１３に接続する接合部１４と、この接合部１４に回転自在に連結し、前記玉受皿１２内の遊技球３４を所定位置に導く導管部１５とを備えた。【選択図】      図１
2004254920.tif 000002
【特許請求の範囲】
【請求項１】
遊技機本体から払い出される遊技玉を一時収納する玉受皿から外部へ前記遊技玉を誘導する玉誘導装置であって、
前記玉受皿の玉排出口に接続する接合部と、この接合部に回転自在に連結し、前記玉受皿内の遊技球を所定位置に供給する導管部とを備えたことを特徴とする玉誘導装置。
【請求項２】
前記接合部は、前記玉排出口に接合する上方接合部と、前記導管部の一端に回動可能に接合される下方接合部とを備え、前記上方接合部は前期玉排出孔に着脱可能に固定されることを特徴とする請求項１記載の玉誘導装置。
【請求項３】
前記導管部上端部には、導管部の管路内へ前記遊技球を導く第１の排出路と、前記導管部の管路へ前記遊技球を導くことなく玉受皿外へ遊技球を排出する第２の排出路と、前記第１排出路又は第２排出路かの何れかに切り替えて前記遊技球を外部へ誘導する切換手段とが設けられていることを特徴とする請求項１又は２記載の玉誘導装置。
【請求項４】
前記導管部は、管路の内径が、前期玉排出孔側から先端部に至るに従って次第に小さくなるように形成された第１導管部と、この第１導管部に連結され第１導管部を介して流下する前記遊技玉を所定位置に導く第２導管部とを備えていることを特徴とする請求項１〜３の何れかに記載の玉誘導装置。
【請求項５】
前記第２導管は、幅方向に可撓性を有するフレキシブル管であることを特徴とする請求項４に記載の玉誘導装置。
【請求項６】
前記第２導管は、長さ方向に伸縮可能に形成された伸縮自在管であることを特徴とする請求項４に記載の玉誘導装置。
【請求項７】
前記第１  導管部の管路の内径は、前期玉排出孔側端部は最大径に形成されると共に先端部側は最小径に形成され、前期最大径は遊技球２個の直径の合計未満の寸法であると共に、前期最小径は遊技球の直径よりもやや大きい寸法径であることを特徴とする請求項４記載の玉誘導装置。
【請求項８】
前記第２導管部は前期第１導管部に対して、上下方向に回動可能に接合されていると共に、前記遊技機本体側にはフック部材が設けられ、前期第２導管部は上記フック部材に係合することができるように構成されていることを特徴とする請求項４〜７の何れかに記載の玉誘導装置。
【発明の詳細な説明】
【発明の属する技術分野】
本発明は、パチンコ遊技機等の遊技機に設けられる玉の誘導装置に係り、特に遊技球を球受皿から遊技本体外部へ供給する玉誘導装置に関する。
【従来の技術】
従来からのパチンコ遊技機等の遊技機は、遊技の進行状況に応じて払い出される賞球や、現金あるいは遊技球貸し出し専用カード（パチンコ・プリペイドカード）により貸し出された貸球を受けるための球受皿が、遊技機本体の前面部に設けられている。
また、球受皿には、遊技球（いわゆるパチンコ玉）を遊技機の下端部前方に設けられたテーブル上に載置される遊技球収納箱等に落下させるための球抜き穴と、当該玉抜き穴を開閉する開閉蓋が設けられている。この球抜き穴は球受皿が、例えば、払い出された遊技球によりオーバーフローする以前に遊技球貯留箱等に移す際に用いられる。
【発明が解決しようとする課題】
ところで、遊技者は遊技球貯留箱を球受皿下方に設けられた、いわゆるテーブル上に載置し、上記開閉蓋を操作して球抜き穴よりパチンコ玉を玉受皿から落下させて、玉受皿下方に配置された遊技球貯留箱へ移している。
この遊技球貯留箱は、概ね、タテ２５ｃｍ、ヨコ４０ｃｍ、高さ１０ｃｍ程度の大きさに形成されており、従来、当該遊技球貯留箱が遊技球により一杯になった場合には、この遊技球貯留箱をホールの床に置き、別の空の遊技球貯留箱に遊技球を収納する。この場合、前期遊技球貯留箱が遊技球により一杯となった場合には非常に重くなる。
そして、遊技者が遊技球貯留箱を持ち上げて床上へ移す際には、身体を捻りながら腰をかがめる姿勢をとりながら、重い遊技球貯留箱を床面に降ろさざるを得ず、身体に負担がかかり、場合によっては、遊技球で一杯になった遊技球貯留箱をテーブル上から床面に降ろす作業により腰を痛める場合もあった。
また、遊技者に代わってホールの従業員が、遊技者へのサービスとして、遊技球で一杯となった前期遊技球貯留箱を持ち上げ、テーブル上から床面上に降ろす場合もある。
このような場合には、従業員は、遊技機の前に並んで座っている遊技者の間から、不安定な姿勢で身体を捻りつつ遊技球貯留箱を持ち上げて床上へ置かねばならず、このような動作を繰り返す場合には、前期同様に従業員が腰を痛めてしまうといった問題が生じた。
また、特に、従業員がこのよう作業を行う場合には、遊戯中の遊技者の邪魔にならないように配慮し迅速に行う必要があり、十分な体勢を作れないことに加えて身体に無理がかかる。従って、このような作業を日に何度も繰り返さねばならずない場合には、従業員にとっては深刻な事態となる可能性がある。
本発明は、このような事情に鑑みなされたものであり、玉受皿に払い出された遊技球を、遊技者や従業員の身体に負担をかけることなく、球受皿内から容易かつ迅速に、床面に置かれた遊技球貯留箱へ移すことができる玉誘導装置を提供することを技術的課題とする。
【課題を解決するための手段】
前記課題を達成するために、本発明は以下の構成を有している。
遊技機本体から払い出される遊技玉を一時収納する玉受皿から外部へ前記遊技玉を誘導する玉誘導装置であって、前記玉受皿の玉排出口に接続する接合部と、この接合部に回転自在に連結し、前記玉受皿内の遊技球を所定位置に導く導管部とを備えたことを特徴とする。
その結果、本発明によれば、前記導管部により遊技球を所定位置に流下させることができることから、遊技者等は玉受け皿内の遊技球を落下させて収納した遊技球貯留箱を床におろす必要はない。
従って、本発明によれば、遊技者又は従業員の、遊技球が入った遊技球貯留箱を床へ降ろすことによる、身体への負担を解消することができる。
また、本発明によれば、前記接合部は、前記玉排出口に接合する上方接合部と、前記導管部の一端に回動可能に接合される下方接合部とを備え、前記上方接合部は前期玉排出孔に着脱可能に固定されることを特徴とする。
その結果、本発明にあっては、下部接合に接合される導管部は左右方向において回動が可能となることから、遊技者の適宜所望の位置に導管部を配置して、遊技球を玉受皿から遊技球貯留箱へ流下させることができる。
また、上部接合を玉受皿の排出孔に固定した後に下部接合を上部接合に接合することができることから、遊技機への玉誘導装置本体の取り付け作業が容易となる。
また、本発明にあっては、前記導管部上端部には、導管部の管路内へ前記遊技球を導く第１の排出路と、前記導管部の管路へ前記遊技球を導くことなく玉受皿外へ遊技球を排出する第２の排出路と、前記第１排出路又は第２排出路かの何れかに切り替えて前記遊技球を外部へ誘導する切換手段とが設けられていることを特徴とする。
従って、本発明にあっては、前期切換手段により適宜切換ることにより、玉受け皿から下方のテーブル上に配置された遊技球貯留箱内に直接に遊技球を流下させることもできれば、床面上に配置された遊技球貯留箱へ遊技球を流下させることもできる。
その結果、例えば、遊技中に、当初はテーブル上に配置された遊技球貯留箱内に流下させ、その後、遊技に「当たり」が出、大量に玉が払い出され、当該遊技球貯留箱ではオーバーフローの可能性が出てきた場合に、前期切換手段により床面上に配置された遊技球貯留箱内に遊技球を流下させるようにし、遊技の進行状況に応じてスムーズに対応することができる。
また、本発明にあっては、前記導管部は、管路の内径が、前期玉排出孔側から先端部に至るに従って次第に小さくなるように形成された第１導管部と、この第１導管部に連結され第１導管部を介して流下する前記遊技玉を所定位置に導く第２導管部とを備えていることを特徴とする。
従って、本発明にあっては、玉受皿内の多数個の遊技球を円滑に導管部の管路内を導き、床面上に置かれた遊技球貯留箱に流下させることができる。
また、本発明にあっては、前記第２導管は、幅方向に可撓性を有するフレキシブル管であることを特徴とする。
従って、遊技機周辺の狭いスペースにおいて、遊技球貯留箱を床面上の適宜の位置に置いた場合であっても、第２導管を適宜撓ませ、第２導管の先端を遊技球貯留箱内へ適切に配置することができる。
また、本発明にあっては、前記第２導管は、長さ方向に伸縮可能に形成された伸縮自在管であってもよい。前期第２導管が伸縮自在管であった場合には、例えば、遊技球貯留箱を床面上に多数個積み上げたような場合であっても、適宜の長さに第２導管を調節して遊技球貯留箱内に導管の先端部を配置することができる。また、本発明にあっては、前記第１  導管部の管路の内径は、前期玉排出孔側端部は最大径に形成されると共に先端部側は最小径に形成され、前期最大径は遊技球２個の直径の合計未満の寸法であると共に、前期最小径は遊技球の直径よりもやや大きい寸法径であることを特徴とする。
最大径が遊技球２個の直径の合計寸法以上であった場合には、複数の、例えば、２個以上の遊技球が略同時に導管内の管路を落下する際に、管路内壁面の間に競合して挟まり、管路が詰まる可能性があることから、これを回避するためである。
同様に、最小径の部位においても、最低限１個の遊技球のみが通過し得るように構成されていれば、複数の遊技球が落下する際に、管路内壁との間に詰まる可能性がないからである。
従って、本発明にあっては以上のような構成を有することから、導管の管路内において遊技球が詰まることなく、円滑に遊技球貯留箱へ流下するものである
また、本発明にあっては、前記第２導管部は前期第１導管部に上下方向に回動可能に接合されていると共に、前記遊技機本体側にはフック部材が設けられ、前期第２導管部は上記フック部材に係合することができるように構成されていることを特徴とする。
従って、本発明にあっては、遊技者は遊技球を遊技球貯留箱内へ移す作業を行う必要のない場合には、上記第２導管部を上方へ跳ね上げ、遊技機に固定しておくことができる。
その結果、本発明にあっては、遊技者は導管部の存在に、遊技の支障を覚えることなく、遊技を楽しむことができる。
【発明の実施の形態】
以下、本発明の実施の形態１に係る玉誘導装置を添付図面に基づいて詳細に説明する。
図１及び図２に示すように、本実施の形態に係る玉誘導装置１０は、遊技機本体１１内から外部へ払い出す遊技玉３０を受ける玉受皿１２から外部へ前記遊技玉を供給するよう構成され、前記玉受皿１２の玉排出口１３に接続する接合部１４と、この接合部１４に回転自在に連結し、前記玉受皿内の遊技球３４を所定位置に導く導管部１５とを備えている。
即ち、ホール内に島として設置された遊技機本体１１の前面下部には、玉受皿１２が設けられており、払い出される遊技球３４を一時的に収納できるようになっている。一般に、この玉受皿１２には適宜、玉受皿１２内の遊技球３４をテーブル１６上に置かれた遊技球３４貯留箱内に落下させうるように玉排出孔１３が設けられている。
そして、本実施の形態にあっては、上記玉受皿１２の下面部側において、上記玉排出孔１３に玉誘導装置１０が接続されている。即ち、玉排出孔１３には接合部１４が接合され、この接合部１４には回転自在に導管部１５が連結されている。
本実施の形態にあっては、前記接合部１４は、前記玉排出口１３に密着する上方接合部１７と、前記導管部１５の一端に接合される下方接合部１８とにより構成され、下方接合部１８は上方接合部１７に対して着脱自在に結合されている。
なお、本実施の形態にあっては、上記上方接合部１７は、既存の遊技機に設けられている玉受皿１２に開設された玉排出口１３にそのまま接合しうるように略同一の径の開口部を有している。実際の接合にあたっては、ねじ部を有する取り付け部材等を上記玉排出口１３の上方から挿入して固定し、当該取り付け部材のねじ部を介して接合部１４を玉受皿１２に固定するものである。
また、上記導管部１５は、前記玉排出口１３に接合される上端部から下端部に至るに従って次第に小さくなるように形成された管路を有する第１導管部１９と、この第１導管部１９に連結され、第１導管部１９を介して流下する前記遊技玉３４を所定位置に導く第２導管部２０とにより構成されている。
本実施の形態にあっては、前記第１導管部１９は、玉受皿１２から円滑に遊技球３４が流下しうるように、前期接合部１４から斜め下方に向かって所定の角度を以って接合され、前期第２導管部２０は、前期第１導管部１９の先端部２１から略、ユニバーサルジョイント部３０を介して、垂直に下方へ垂下するように配設されている。
本実施の形態にあっては、前期接合部１４及び第１導管部１９は硬質合成樹脂製であって、前期第２導管部２０は、長さ方向に伸縮可能な合成樹脂製の多重管により形成されている。本実施の形態にあっては、３つの直径の異なる管部２０ａ，２０ｂ，２０ｃが、第１導管部１９から離間する方向に従って次第に細径となるように、互いに入れ子状に長さ方向に連設されており、径少の管部は径大の管部内に長さ方向に収納され、伸縮自在に構成されている。
また、本実施の形態にあっては、管部２０ａ，２０ｂ，２０ｃを伸ばし、最長の長さとなった場合には、その先端開口部２５が床面３５上に置いた遊技球貯留箱３０の直上に位置するように形成されている。
また、本実施の形態にあっては、上記第１導管部１９の上端部には、前記導管部１９の管路内へ玉受皿１２からの遊技球３４を導かずに前記玉排出口１３から直接に玉受皿１２へ遊技球３４を排出する玉排出部２６が設けられている。
また、図３及び図４に示すように、上記玉排出部２６には、流下する遊技球３４を導管部１５と玉排出部２６とに、適宜、切り替え得る切換バルブ２７が設けられ、遊技者が切換操作を行い得る切換操作部２８が第１導管部１９の上端部外方に設けられている。
また、本実施の形態にあっては、前期第１導管部１９の先端にはユニバーサルジョイント部３０が設けられ、このユニバーサルジョイント部３０を介して第２導管部２０は前期第１導管部１９に接合されている。その結果、第２導管部２０は前期第１導管部１９に上下方向に回動できる。
また、前記遊技機１１本体の側面部にはフック部材２９が設けられ、前期第２導管部２０は、上記ユニバーサルジョイント部３０を回転中心として上方へ回動させ、遊技機本体１１の側方において略垂直位置に立設させた場合には、上記フック部材２９に係合させることができるように構成されている。即ち、本実施の形態にあっては、前期フック部材２９は、最も第１導管部１９に直接に接合されている最大径の管部２０Ｃが係合しうるように形成され、また、導管部１５を水平に回動させて、遊技機本体１１の前面部に沿わせて配置した場合に、第２導管部の最大径の管部２０Ｃが係合しうる部位に配設されている。
また、前記第１導管部１９は、管路の内径寸法が、上端部から下端部に至るに従って次第に小さくなるように形成されている。また、前期第１導管部１９にあっては、前記第１  の導管部の管路の内径寸法は、最大径が２個の遊技球３４，３４の直径寸法の合計値以下であると共に、最小径は遊技球３４の直径よりもやや大きい径寸法に形成されている。
一方、前期第２導管部２０の管路は、均一であって、遊技球３４の直径よりもやや大きい内径寸法に形成されており、本実施の形態にあっては、第１導管部１９の最大径は１．７ｍｍ、第１導管部２０の最小径及び第２導管部の管路の径は１．１ｍｍに形成されている。
［作用］
以下、本実施の形態に係る玉誘導装置１０の作用について説明する。
遊技者が本実施の形態に係る玉誘導装置１０を使用して遊技球３４を玉受皿１２から遊技球貯留箱２２へ移す場合、先ず、「大当たり」等の状態ではない通常の遊技状態の場合には、適当な数の遊技球３４が玉受皿１２内に収納されていることから、遊技者は、図３に示すように、第１導管部１９の上端部に設けられた切換操作部２８を操作して、切換バルブ２７により第１導管部１９側への管路３１を閉止し、玉排出部２６を開放しておく。
また、必要に応じて、予め、第１導管部１９を接合部１４を中心に左右方向に回動させて、上記第１導管部１９の左右方向における角度位置を調整し、第２導管部２０が垂下された場合に、遊技の邪魔にならないような位置に遊技球貯留箱２２を置いておく。この場合、第２導管部２０の先端部は遊技球貯留箱２２の略直上に位置する。
そして、玉受皿１２内に所定量、遊技球３４が滞留した場合には、図２に示す、玉受皿１２の玉排出孔１３の開閉部３２を操作して玉排出孔１３を開放することにより、玉受皿１２内の遊技球３４を前期玉排出部２６を介して下方に落下させることができる。
従って、遊技者は、テーブル１６上において、前期玉排出部２６の下方に遊技球貯留箱２２を置いておいた場合には、図１に示すように、落下する遊技球３４を遊技球貯留箱２２内に収納することができる。
また、遊技中に、「大当たり」等の状態となった場合には、短時間に大量の遊技球３４が遊技機本体１１から玉受皿１２内に排出されることから、テーブル１６上に置いた遊技球貯留箱２２を何度も取り代え、床面３５上に置く作業が必要となる。
従って、このような場合にあっては、遊技者は前期第１導管部１９の上端部に設けられた切換操作部２８を操作して、図４に示すように、切換バルブ２７により玉排出部２６を閉止すると共に第１導管部１９側への管路３１を開放する。
これにより、第１導管部１９及び第２導管部２０を介して遊技球３４を流下させうる排出路が形成され、玉受皿１２の玉排出孔１３の開閉部３２を操作して玉排出孔１３を開放することにより、玉受皿１２内の多数の遊技球３４は、第１導管部１９から第２導管部２０内を流下し、第２導管部２０の先端開口部２５から遊技球３４は排出されて遊技球貯留箱２２内に落下収納される。
この場合、上記のように、前記第１導管部１９は、管路３１の内径寸法が、上端部から下端部２１に至るに従って次第に小さくなるように形成されていることから、多量の遊技球３４が払い出された場合においても、玉受皿１２内の多量の遊技球３４を適宜、玉受皿１２内においてオーバーフローさせることなく、順次、遊技球３４を導管部１５へ導くことができる。
また、前期第１導管部１９にあっては、前記第１  の導管部１５の管路３１の内径は、最大径が遊技球２個の直径の合計以下であると共に、最小径は遊技球３４の直径よりもやや大きい径に形成されていると共に、前期第２導管部２０の管路は遊技球３４の直径よりもやや大きい内径寸法に形成されていることから、複数の遊技球３４が略同時に導管部１５内の管路を流下する場合であっても、管路内を常時１個の遊技球３４のみが流下し、管路内に複数の遊技球３４が管路内壁との間に詰まる可能性はなく、円滑な遊技球３４の流下が可能となる。
また、この場合、遊技球３４が流下されている際に、第１導管部１９は接合部１４に回転自在に連結されていることから、第１導管部１９を接合部１４に対して左右方向に適宜回動させることにより、第２導管部２０の先端開口部の位置を調整することもできる。
そして、遊技球３４の払い出しが終了し、大量の遊技球３４の遊技球貯留箱２２への移送が不要となった場合には、図５に示すように、第２導管部２０を、第１導管部１９の先端に設けられたユニバーサルジョイント部３０を中心に上方へ回動させて、遊技機１１の側面部に設けられたフック部材２９に係合させておくこともできる。
本実施の形態に係る玉誘導装置１０にあっては、上述のように、第２導管部２０が長さ方向に伸縮可能に形成されていることから、細径の管部２０ａ，２０ｂを夫々、最大径の管部２０ｃ内へ挿入し全長を縮小した状態で、最大径の管部２０ｃを上記フック部材２９に係合させることができる。
このように第２導管部２０を、第１導管部１９の先端部２１を中心に上方へ回動させて、遊技機１１の側面部に設けられたフック部材２４に係合させた場合には、導管部１５、特に、第２導管部２０がテーブル１６の下方に垂下し、遊技の邪魔になる、という事態を防止し得る。
本実施の形態にあっては、導管部１５を構成する第１導管部１９の上端部には玉排出部２６が設けられ、内装された切換バルブ２７を操作することにより、遊技球３４を導管部１５を介することなく、玉受皿１２から直接、下方に置いた遊技球貯留箱２２内に落下させうるように構成されていることから、既存の遊技機１１に設けられた玉受皿１２を何ら改造することなく、そのまま、ホールに既に設置されている遊技機１１に対するアタッチメントとして、玉誘導装置１０を迅速かつ容易に付加して装着することができる。その結果、何ら改造のためのコストが発生することはなく使用することができる。
また、本実施の形態にあっては、前期第２導管部が、多重管により長さ方向に伸縮自在に構成されている場合を例に説明したが、本実施の形態に限定されず、例えば、図６に示す第２実施の形態におけるように、合成樹脂製の、いわゆるフレキシブルホースにより形成されていてもよい。
このようにフレキシブルホースにより第２導管部が形成された場合には、変形性及び可撓性に富み、例えば、容易に第２導管部３３を曲げて、次の、遊技球貯留箱２２の適切な位置へ先端開口部２５を配置することもできる。
また、本実施の形態に係る玉誘導装置３６にあっては、前期実施の形態とは異なり、第１導管部１９の上端部には玉排出部２６は設けられていない。この場合、玉排出口が２個開設されている玉受皿１２を使用することとなる。この玉排出口の内、１個は従来どおり、テーブル１６上に置かれた遊技球貯留箱２２内に遊技球３４を流下させるために使用され、他方の玉排出口は、本実施の形態に係る玉誘導装置１０を装着するために使用される。
従って，本実施の形態にあっては、玉受皿１２内に所定量、遊技球３４が滞留した場合には、玉受皿１２の一方の玉排出孔の開閉部（図示せず）を操作して玉排出孔を開放することにより、玉受皿１２内の遊技球３４を前期玉排出部２６を介して下方に落下させ、テーブル１６上に置かれた遊技球貯留箱２２内に遊技球３４を収納することができる。
一方、遊技中に、「大当たり」等の状態となった場合には、短時間に大量の遊技球３４が遊技機本体１１から玉受皿１２内に排出されることから、テーブル１６上に置いた遊技球貯留箱２２を何度も取り代え、床面３５上に置く作業が必要となるため、玉受皿１２の玉排出孔の開閉部（図示せず）を操作して、玉誘導装置１０が装着された他方の玉排出孔を開放することにより、玉受皿１２内の多数の遊技球３４は、第１導管部１９から第２導管部２０内を流下させ、第２導管部２０の先端開口部２５から遊技球３４は排出させることにより遊技球貯留箱２２内に落下収納させることができる。
本実施の形態に係る玉誘導装置３６にあっては、フレキシブルホースを用いることから、第２導管部３３の構成は容易であり、前期実施の形態に係る玉誘導装置１０よりも製作コストを低減することができる。
なお、上記各実施の形態にあっては、第２導管部２０，３３が、多重管又はフレキシブルホースにより形成されている場合を例に説明したが、上記各実施の形態に限定されず、例えば、所定の長さ寸法に形成されたコイル状の金属製スプリングにより形成されていてもよい。
【発明の効果】
本発明によれば、前記導管部により遊技球を所定位置に流下させることができることから、遊技者等は玉受け皿内から落下させた遊技球を一杯に収納した重量の大きな遊技球貯留箱をテーブル上から床面に降ろす必要がない。
従って、遊技者又は従業員の、遊技球が入った重い遊技球貯留箱を床へ降ろすことによる、身体への負担を完全に解消することができる。
また、本発明にあっては、遊技球を流下させる導管部は左右方向において回動できることから、遊技者の適宜所望の位置に導管部を配置して、遊技球を玉受皿から遊技球貯留箱へ的確に流下させることができる。
その結果、狭いスペースのホールにおいても、身体に負担をかけることなく、容易かつ迅速に遊技球を床面に置いた遊技球貯留箱内に流出させることができる。
また、上方接合部を玉受皿の排出孔に固定した後に下方接合部を上方接合部に接合することができることから、遊技機への玉誘導装置本体の取り付け作業が容易となる。従って、ホールに設置されている既存の遊技機に、アタッチメントとして迅速に取り付けることが可能となる。
また、本発明にあっては、第１導管部に配設された切換手段により管路を切換ることにより、玉受け皿から下方のテーブル上に配置された遊技球貯留箱内に直接に遊技球を流下させることもできれば、床面上に配置された遊技球貯留箱へ遊技球を流下させることもできる。
その結果、例えば、遊技中に、当初はテーブル上に配置された遊技球貯留箱内に流下させ、その後、遊技に「当たり」が出、大量に玉が払い出され、当該遊技球貯留箱ではオーバーフローの可能性が出てきた場合に、前期切換手段により床面上に配置された遊技球貯留箱内に遊技球を流下させるようにし、遊技の進行状況に応じてスムーズに対応し、遊技球を処理することができる。
また、本発明にあっては、導管部の管路の内径が上端部から下端部に至るに従って次第に小さくなるように形成されていることから、多量の遊技球が払い出された場合においても、玉受皿内の多量の遊技球を適宜、玉受皿内においてオーバーフローさせることなく、順次、遊技球を導管部へ導くことができる。
また、第１導管部にあっては、第１  導管部の管路の内径は、最大径が遊技球２個の直径の合計以下であると共に、最小径は遊技球の直径よりもやや大きい径に形成されていると共に、前期第２導管部の管路は遊技球の直径よりもやや大きい内径寸法に形成されていることから、複数の遊技球が略同時に導管部内の管路を流下する場合であっても、管路内を常時１個の遊技球のみが流下し、管路内に遊技球が詰まる可能性はなく、円滑な遊技球の流下が可能となる。
また、第２導管を、幅方向に可撓性を有するフレキシブル管により構成した場合には、遊技機周辺の狭いスペースにおいて、遊技球貯留箱を床面上の適宜の位置に置いた場合であっても、第２導管を適宜撓ませ、第２導管の先端を遊技球貯留箱内へ適切に配置することができる。
また、本発明にあっては、前期第２導管が伸縮自在管であった場合には、例えば、遊技球貯留箱を床面上に多数個積み上げたような場合であっても、適宜の長さに第２導管を調節して遊技球貯留箱内に導管の先端部を配置することができる。本発明にあっては、導管の管路内において遊技球が詰まることなく、円滑に遊技球貯留箱へ流下するものである
本発明にあっては、遊技者は遊技球を遊技球貯留箱内へ移す作業を行う必要のない場合には、上記第２導管部を上方へ跳ね上げ、遊技機に固定しておくことができることから、遊技者は導管部の存在に支障を感ずることなく、遊技を楽しむことができる。
【図面の簡単な説明】
【図１】本発明に係る玉誘導装置の一実施の形態であって、第１導管部に玉排出部が設けられると共に、第２導管部が伸縮管により構成されている場合を示す図である。
【図２】本発明に係る玉誘導装置の一実施の形態であって、玉受皿と、第１導管部及び第２導管部とを示す斜視図である。
【図３】本発明に係る玉誘導装置の一実施の形態であって、第１導管部に設けられた玉排出部を示す断面図であり、切換えバルブにより下方へ直接に遊技球が落下する状態を示す図である。
【図４】本発明に係る玉誘導装置の一実施の形態であって、第１導管部に設けられた玉排出部を示す断面図であり、切換えバルブにより第１導管部の管路へ遊技球が流れる状態を示す図である。
【図５】本発明に係る玉誘導装置の一実施の形態であって、第１導管部に玉排出部が設けられると共に、第２導管部が伸縮管により構成されている場合を示し、第２導管部を縮め、上方へ反転回動させて、遊技機本体の側部に設けられたフック部材に係合させた状態を示す図である。
【図６】本発明に係る玉誘導装置の第二の実施の形態であって、第１導管部には玉排出部が設けられておらず、また、第２導管部がフレキシブルチューブにより形成されている場合を示す図である。
【図７】本発明に係る玉誘導装置の第二の実施の形態であって、第１導管部には玉排出部が設けられておらず、また、第２導管部がフレキシブルチューブにより形成され、上方へ反転回動させて、遊技機本体の側部に設けられたフック部材に係合させた状態を示す図である。
【符号の説明】
１０  玉誘導装置
１１  遊技機
１２  玉受皿
１３  玉排出口
１４  接合部
１５  導管部
１６  テーブル
１７  上方接合部
１８  下方接合部
１９  第１導管部
２０  第２導管部
２１  先端部
２２  遊技球貯留箱
２５  先端開口部
２６  玉排出部
２７  切換バルブ
２８  切換操作部
２９  フック部材
３０  ユニバーサルジョイント部
３１  管路
３２  開閉部
３３  第２導管部
３４  遊技球
３５  床面
３６  玉誘導装置
【図１】
2004254920.tif 000003
【図２】
2004254920.tif 000004
【図３】
2004254920.tif 000005
【図４】
2004254920.tif 000006
【図５】
2004254920.tif 000007
【図６】
2004254920.tif 000008
【図７】
2004254920.tif 000009